(57)【要約】【課題】  施工性を殆んど損なうことなく根太の部分も断熱でき、床全体としての断熱性を向上させることが可能な床用断熱ボードを提供する。【解決手段】  断熱ボード本体の側面に、根太の下面を覆うための翼状断熱部を設ける。また、断熱ボード本体の中央部上面に、前記翼状断熱部と並行して、この断熱ボードを逆Ｖ字上に曲げることのできるスリットを入れ、施工を容易にする。【選択図】  図３
2005146760.tif 000002
【特許請求の範囲】
【請求項１】
断熱ボード本体の側面に、根太の下面を覆うための翼状断熱部を設けたことを特徴とする床用断熱ボード。
【請求項２】
前記断熱ボード本体に接する二本の根太下面をそれぞれ覆うための、２つの翼状断熱部が設けられていることを特徴とする請求項１記載の床用断熱ボード。
【請求項３】
断熱ボード本体の中央部上面に、前記翼状断熱部と並行して、この断熱ボードを逆Ｖ字上に曲げることのできるスリットが入れられていることを特徴とする請求項１または２記載の床用断熱ボード。
【発明の詳細な説明】
【技術分野】
【０００１】
本発明は、建築物の床全体の断熱性能を向上させることのできる床用断熱ボードに関する。
【背景技術】
【０００２】
木造建築の床部においては、特許文献１の図２に示すように複数本の大引きと、これと直交して複数本の根太が配設されている。そして同図に描かれている様に根太と根太との間を断熱材で埋めるのが一般的である。
【０００３】
しかし、断熱材のサイズが規格化されているため、施工は容易であるが根太と根太との間隔が規格に合わない場合は問題がある。即ち、根太間の間隔が狭い場合は現場で断熱材を裁断して微調整することで対応できるが、根太間の間隔が規格よりも広い場合には断熱材と根太との間に間隙ができて断熱性能が低下してしまう。
【０００４】
この問題を解決するために、特許文献２では断熱材の片面前面に弾性シートによる耳部を形成し、この耳部を根太と断熱材本体との間隙に押し込むことで対応している。また、断熱性能を向上させる方法として根太の縦幅よりも厚い断熱材を使用し、この断熱材が大引きに当接する部分を段状にカットすることによって、断熱材が根太の高さ以内に収まるように工夫した技術も知られている。
しかしこれら従来の技術では根太の部分は全く断熱されていないため、床全体としての断熱性の向上には限界がある。
【特許文献１】特開平７−２１７０１４号（図２）
【特許文献２】特開２０００−２７３２８号（請求項１）
【発明の開示】
【発明が解決しようとする課題】
【０００５】
本発明の目的は、施工性を殆んど損なうことなく根太の部分も断熱でき、床全体としての断熱性を向上させることが可能な床用断熱ボードを提供することにある。
【課題を解決するための手段】
【０００６】
本発明の床用断熱ボードは、断熱ボード本体の側面に、根太の下面を覆うための翼状断熱部を設けたことを特徴としている。翼状断熱部は、前記断熱ボード本体に接する二本の根太下面をそれぞれ覆うために２つの側面にそれぞれ設けることもできる。
【０００７】
また、断熱ボード本体の中央部上面に、前記翼状断熱部と並行して、この断熱ボードを逆Ｖ字上に曲げることのできるスリットを入れることも好ましい。
【発明の効果】
【０００８】
本発明の床用断熱ボードは、断熱ボード本体の側面に、根太の下面を覆うための翼状断熱部を設けているため、断熱材で全床面を覆うことができ、床全体としての断熱性を向上させることができる。また、翼状断熱部を本体の両サイドに設けた断熱ボードは、翼状断熱部を片面に設けた断熱ボードと組み合わせて使用することによって、全ての根太を断熱処理することが可能となる。さらに、断熱ボード本体の中央部にスリットを入れれば、施工時に断熱ボードを逆Ｖ字状に曲げながら根太下に押し込めることができて施工がより容易となる。
【発明を実施するための最良の形態】
【０００９】
以下、本発明の最良の実施形態を図面に基づいて説明する。
図１は本発明の床用断熱ボードの一例を示す斜視図である。床用断熱ボード１は、断熱材本体２と、その側面に設けられた翼状断熱部２ａおよび翼状断熱部２ｂ、２ｂ’から構成されている（ここでは、床用断熱ボード１中、翼状断熱部２ａおよび翼状断熱部２ｂ、２ｂ’以外の部分を断熱材本体２と定義する）。
【００１０】
図１においては、翼状断熱部２ａが断熱材本体２側面の片方にのみ付いているが、両面に付ける事もできる。各翼状断熱部は、寸法調整した断熱材の側面に切り欠きを入れることで形成することができる。また断熱材本体２の中央部上面にはスリット３が入っている。
【００１１】
翼状断熱部２ａは、その下面が断熱材本体２の下面と段差なく連続している。一方、翼状断熱部２ａの上面は断熱材本体２の上面と段差を形成していて、この段差ｈ１が根太の縦幅と略等しくなるように設計されている。また、翼状断熱部２ａの幅ｗ１は根太の横幅と略等しくなるように設計されている。
【００１２】
翼状断熱部２ｂ、２ｂ’は、その上面が断熱材本体２の上面と段差なく連続している。一方、翼状断熱部２ｂ、２ｂ’の下面は断熱材本体２の下面と段差を形成していて、この段差ｈ２は翼状断熱部２ａの厚さと等しい。また、翼状断熱部２ｂ、２ｂ’の幅ｗ２は大引きの横幅の半分と略等しくなるように設計されている。
【００１３】
スリット３は断熱材本体２の中央部上面から断熱ボード１に切り目を入れたものであり断熱材本体２の下面のみが繋がった状態となっている。たとえば使用する断熱材がグラスウールである場合には、その片面または両面をアルミ箔やポリエチレンフィルムその他の熱反射材や補強材等の表皮材で被覆するが、この表皮材のみを切らずに残した状態としてある。
【００１４】
なお、本発明で使用可能な断熱材としては特に制限はなく、上記グラスウールをはじめとする人造鉱物繊維、その他有機系であっても良い。また、上記表皮材については無くてもよい。表皮材が無い場合にスリット３を入れる場合は、断熱材本体２の下面から数ｍｍを残して切り目を入れるようにする。
【００１５】
図２は本発明の床用断熱ボードの一例を示す（ａ）平面図、および（ｂ）側面図である。床用断熱ボード１のサイズは、現場施工を容易にするため規格化されている。この規格に沿って寸法を説明すれば、長さ（断熱材本体２の長さと翼状断熱部２ｂ、２ｂ’の幅ｗ２、ｗ２’とを合計したもの）が９１０ｍｍ、幅（翼状断熱部２ａの幅ｗ１は含まず）２６３ｍｍまたは４１５ｍｍ、厚み（ｈ１とｈ２の合計）が７５ｍｍまたは１００ｍｍである。また、ｈ１は４５ｍｍ、ｈ２は３０ｍｍまたは５５ｍｍである。
【００１６】
したがって本発明の床用断熱ボード１を使用すると、大引きについては４５ｍｍ厚の断熱材でその上部を、また、根太については３０ｍｍまたは５５ｍｍの断熱材でその下部を覆うことができ、その結果、床全体が少なくとも３０ｍｍ厚、最大で４５ｍｍ厚の断熱材で覆われるため根太部分を覆うことができなかった従来の断熱材に比較して断熱性能を大幅に向上させることができる。なお、規格の寸法については一例を示したものであり、本発明の床用断熱ボード１はこれに限定されるものではない。
【００１７】
図３は本発明の床用断熱ボードの施工の一例を示す斜視図である。スリット３付きの床用断熱ボード１を施工する場合には、スリット３部分を折り曲げて床用断熱ボード１を逆Ｖ字状に保持し、大引き４、４’に翼状断熱部２ｂ、２ｂ’が正しく載置されるように、かつ、根太５、５’のいずれかの下面に翼状断熱部２ａ（図示せず）が潜り込むように位置決めした後、断熱材本体２の上面が平面となるまで押す。この方法で施工することで、翼状断熱部２ａで根太５の下面を確実に覆うことができるとともに施工も簡単である。
【００１８】
なお、本発明の床用断熱ボード１としてスリット３を入れていないものを使用する場合であっても、グラスウール等の断熱材料は可撓性かつ弾性を有するため、先に翼状断熱部２ａを根太５下に押し込み、次にその反対側を押し込むことができ、施工は容易である。
【００１９】
また、例えば根太５’が建築物床面の端部である場合、この端部用として翼状断熱部２ａを断熱材本体２側面の両側に付けた床用断熱ボード１を使用することができる。すなわち、翼状断熱部２ａが両側に付けられた床用断熱ボード１によって根太５、５’の両方の下面を覆うことで、この床用断熱ボード１の隣に敷かれる片翼床用断熱ボード１の翼状断熱部２ａは、根太５の隣に並ぶ図示しない根太の下面を覆う。そしてさらにその隣に片翼床用断熱ボード１を敷くという手順を繰り返せば、最終的に建物の反対側端部用として敷かれた片翼床用断熱ボード１は、反対側端部にある根太の下面を覆うこととなり、結果として、全ての根太の下面が断熱材で覆われることになる。
【産業上の利用可能性】
【００２０】
本発明の床用断熱ボードは、根太と大引きを設けた軸組み工法等による建築物の床面用断熱材として利用することができる。
【図面の簡単な説明】
【００２１】
【図１】本発明の床用断熱ボードの一例を示す斜視図である。
【図２】本発明の床用断熱ボードの一例を示す（ａ）平面図、および（ｂ）側面図である。
【図３】本発明の床用断熱ボードの施工の一例を示す斜視図である。
【符号の説明】
【００２２】
１…床用断熱ボード、２…断熱材本体、２ａ、２ｂ、２ｂ…翼状断熱部、３…スリット、４、４’…大引き、５、５’…根太。
【図１】
2005146760.tif 000003
【図２】
2005146760.tif 000004
【図３】
2005146760.tif 000005